(57)【要約】【課題】撮影画像に基づいて、どの時点までリモコンが操作されていたのか利用者に知らせ、利用者にリモコンを探すためのヒントを与えることができる技術を提供する。【解決手段】リモコン２０は、利用者によってリモコン操作部２０１が操作されると、タイマー部２０２による所定時間経過毎に撮影信号生成部２０３により撮影信号を生成させて、リモコン送信部２０４を介して送信する。テレビ本体１０は、リモコン受信部１０８を介して撮影信号を受信すると、カメラ１１１により視聴空間の撮影を行わせ、撮影画像を撮影画像記憶部１１３に記憶させる。撮影画像再生処理部１１２は、利用者によって本体操作部１０７が操作されたことを検知すると、撮影画像記憶部１１３に記憶された撮影画像を表示部１０５を介して表示部１０６に表示させ、利用者のリモコン操作後の様子を記録した映像により、利用者にリモコン２０を探すためのヒントを与える。【選択図】図１
2013138355.tif 000002
【特許請求の範囲】
【請求項１】
リモコンによって遠隔操作される表示装置であって、
前記リモコンが操作されると、カメラに所定間隔で視聴空間を撮影させて、撮影画像を撮影画像記憶部に記憶させるカメラ制御手段と、
所定操作が行われると、最後のリモコン操作に対応する前記撮影画像を表示部に表示させる表示制御手段と
を備えたことを特徴とする表示装置。
【請求項２】
前記カメラ制御手段は、操作された前記リモコンの操作内容に関わらず、リモコン信号が送信されると複数回撮影を行うことを特徴とする請求項１に記載の表示装置。
【請求項３】
前記カメラ制御手段は、新たに送信されたリモコン信号に対応する前記撮影画像を記憶させると、前回送信されたリモコン信号に対応する撮影画像を消去させることを特徴とする請求項１又は２に記載の表示装置。
【請求項４】
前記カメラ制御手段は、前記所定間隔の撮影について、前記カメラによる最初の撮影を動画で行わせ、前記カメラによる最後の撮影を静止画で行わせることを特徴とする請求項１から３までのいずれか一項に記載の表示装置。
【請求項５】
前記カメラ制御手段は、撮影が行われたときに表示されていたコンテンツ情報と前記撮影画像とを関連付けて記憶させ、
前記表示制御手段は、前記コンテンツ情報と前記撮影画像とをともに表示させることを特徴とする請求項１から４までのいずれか一項に記載の表示装置。
【請求項６】
前記カメラ制御手段は、前記リモコンによって他の操作対象機器が操作されたときに、前記カメラに視聴空間を撮影させ、撮影画像と前記他の操作対象機器に関する情報とを関連付けて記憶させ、
前記表示制御手段は、前記他の操作対象機器に関する情報と前記撮影画像とをともに表示させることを特徴とする請求項１から５までのいずれか一項に記載の表示装置。
【請求項７】
前記所定操作は、専用に設けられた本体操作部が操作されることであることを特徴とする請求項１から６までのいずれか一項に記載の表示装置。
【請求項８】
表示装置と、該表示装置を遠隔操作するリモコンとで構成されるリモコンシステムであって、
前記表示装置は、
前記リモコンが操作されると、カメラに所定間隔で視聴空間を撮影させて、撮影画像を撮影画像記憶部に記憶させるカメラ制御手段と、
所定操作が行われると、最後のリモコン操作に対応する前記撮影画像を表示部に表示させる表示制御手段とを備え、
前記リモコンは、
操作されると、前記表示装置のカメラ制御手段に視聴空間の撮影を行わせる撮影信号を生成する撮影信号生成手段と、
前記撮影信号生成手段に間隔を介して前記撮影信号を生成させるタイマー手段と、
前記撮影信号を送信する送信手段とを備え
たことを特徴とするリモコンシステム。
【発明の詳細な説明】
【技術分野】
【０００１】
本発明は、リモコンによって遠隔操作される表示装置及びリモコンシステムに関する。
【背景技術】
【０００２】
従来、利用者は、リモートコントローラー（以下、「リモコン」と称する）で、テレビジョン受像機（以下、「テレビ」と称する）を遠隔操作することが多い。ところが、近年利用者がリモコンの置き場所を忘れてリモコンを紛失するケースが増えている。
【０００３】
これに対し、一部の機能について、リモコンによらず、自動的にテレビを制御することが行われている。例えば、利用者のリモコン操作によってテレビが起動されると、テレビに設けられたカメラで利用者の視聴状況を撮影し、撮影した映像データにより利用者が画面を見ていないと判定すると、自動的に電源を切断して、そのときの番組を録画する技術が知られている（例えば、特許文献１を参照）。
【先行技術文献】
【特許文献】
【０００４】
【特許文献１】特開２００９−２１８７５５号公報
【発明の概要】
【発明が解決しようとする課題】
【０００５】
しかしながら、特許文献１に記載の技術では、利用者は、リモコンの使用頻度を減らすことができても、紛失したリモコンを探し出すことができなかった。つまり、特許文献１に記載の技術では、撮影画像に基づいて、どの時点までリモコンが操作されていたのか利用者に知らせ、利用者にリモコンを探すためのヒントを与えることができなかった。
【０００６】
本発明は上記課題に鑑みてなされたものであり、撮影画像に基づいて、どの時点までリモコンが操作されていたのか利用者に知らせ、利用者にリモコンを探すためのヒントを与えることができる技術を提供することを目的とする。
【課題を解決するための手段】
【０００７】
本発明の表示装置は、リモコンによって遠隔操作される表示装置であって、前記リモコンが操作されると、カメラに所定間隔で視聴空間を撮影させて、撮影画像を撮影画像記憶部に記憶させるカメラ制御手段と、所定操作が行われると、最後のリモコン操作に対応する前記撮影画像を表示部に表示させる表示制御手段とを備えたことを特徴とする。
また、前記カメラ制御手段は、操作された前記リモコンの操作内容に関わらず、リモコン信号が送信されると複数回撮影を行ってもよい。
また、前記カメラ制御手段は、新たに送信されたリモコン信号に対応する前記撮影画像を記憶させると、前回送信されたリモコン信号に対応する撮影画像を消去してもよい。
また、前記カメラ制御手段は、前記所定間隔の撮影について、前記カメラによる最初の撮影を動画で行わせ、前記カメラによる最後の撮影を静止画で行わせてもよい。
また、前記カメラ制御手段は、撮影が行われたときに表示されていたコンテンツ情報と前記撮影画像とを関連付けて記憶させ、前記表示制御手段は、前記コンテンツ情報と前記撮影画像とをともに表示させてもよい。
また、前記カメラ制御手段は、前記リモコンによって他の操作対象機器が操作されたときに、前記カメラに視聴空間を撮影させ、撮影画像と前記他の操作対象機器に関する情報とを関連付けて記憶させ、前記表示制御手段は、前記他の操作対象機器に関する情報と前記撮影画像とをともに表示させてもよい。
また、前記所定操作は、専用に設けられた本体操作部が操作されることであってもよい。
本発明のリモコンシステムは、表示装置と、該表示装置を遠隔操作するリモコンとで構成されるリモコンシステムであって、前記表示装置は、前記リモコンが操作されると、カメラに所定間隔で視聴空間を撮影させて、撮影画像を撮影画像記憶部に記憶させるカメラ制御手段と、所定操作が行われると、最後のリモコン操作に対応する前記撮影画像を表示部に表示させる表示制御手段とを備え、前記リモコンは、操作されると、前記表示装置のカメラ制御手段に視聴空間の撮影を行わせる撮影信号を生成する撮影信号生成手段と、前記撮影信号生成手段に間隔を介して前記撮影信号を生成させるタイマー手段と、前記撮影信号を送信する送信手段とを備えたことを特徴とする。
【発明の効果】
【０００８】
本発明によれば、撮影画像に基づいて、どの時点までリモコンが操作されていたのか利用者に知らせ、利用者にリモコンを探すためのヒントを与えることができる。
【図面の簡単な説明】
【０００９】
【図１】本発明に係る実施形態１のテレビの構成を示す機能ブロック図である。
【図２】図１に示す表示部に表示された撮影画像を示すイメージ図である。
【図３】図１に示すリモコンの処理の流れを示すフローチャートである。
【図４】図１に示すテレビ本体の処理の流れを示すフローチャートである。
【図５】図１に示すテレビ本体の処理の流れを示すフローチャートである。
【図６】本発明に係る実施形態２のテレビの構成を示す機能ブロック図である。
【発明を実施するための形態】
【００１０】
以下では、リモコンによって遠隔操作される表示装置の一例として、テレビを例に説明する。
【００１１】
図１に示すように、本実施形態のテレビは、テレビ本体１０とテレビ本体１０を遠隔制御するリモコン２０とで構成される。
【００１２】
リモコン２０は、リモコン操作部２０１とタイマー部２０２と撮影信号生成部２０３とリモコン送信部２０４とを備えている。
【００１３】
リモコン操作部２０１は、不図示のキーを備え、利用者によってキーが操作されると、操作されたキーに対応するリモコン信号（テレビ本体１０における制御指令に対応する制御信号）をリモコン送信部２０４に出力する。また、リモコン操作部２０１は、リモコン信号を出力したことを示す信号をタイマー部２０２に出力する。
【００１４】
タイマー部２０２は、リモコン操作部２０１からリモコン信号が出力されたことを示す信号を取得すると、初期化したタイマーを作動させる。タイマー部２０２は、タイマーにより所定時間経過したと判定する毎にタイマー信号を撮影信号生成部２０３に出力する。
【００１５】
撮影信号生成部２０３は、タイマー信号を取得すると、カメラ制御部１１０の制御によりカメラ１１１に撮影を行わせるよう制御する特別なリモコン信号（以下、「撮影信号」と称する）を生成し、リモコン信号としてリモコン送信部２０４に出力する。
【００１６】
リモコン送信部２０４は、リモコン操作部２０１による操作されたキーに対応するリモコン信号、又は撮影信号生成部２０３によるカメラ１１１に撮影させるリモコン信号を取得すると、赤外線等の無線によりリモコン信号を出力する。
【００１７】
テレビ本体１０は、チューナー部１０２と映像音声処理部１０３と音声出力部１０４と表示制御部１０５と表示部１０６と本体操作部１０７とリモコン受信部１０８とリモコン信号処理部１０９とカメラ制御部１１０とカメラ１１１と撮影画像再生処理部１１２と撮影画像記憶部１１３とこれら各部を制御するＣＰＵ（Central Processing Unit）１０１とを備えている。
【００１８】
リモコン２０から出力されたリモコン信号は、リモコン受信部１０８で受信される。リモコン信号処理部１０９は、リモコン受信部１０８をチェックして、有効なリモコン信号が受信されたか判定する。有効なリモコン信号であるか否かは、例えば、リモコン信号処理部１０９に予め記憶されたリモコンコードと一致するか否かにより判定されればよい。リモコン信号処理部１０９が取得したリモコン信号が、他の電子機器を制御するリモコン信号であったり、リモコン２０とテレビ本体１０とが離れていて復調できない微弱なリモコン信号であったりすると、予め記憶されたリモコンコードと一致せず、無効なリモコン信号と判定される。リモコン信号処理部１０９は、取得したリモコン信号が有効なリモコン信号であると判定すると、ＣＰＵ１０１を介して、そのリモコン信号に対応する処理を各部に行わせる。
【００１９】
例えば、リモコン信号処理部１０９により有効であると判定されたリモコン信号が、テレビ放送のチャンネル番号を示すものであれば、チューナー部１０２は、ＣＰＵ１０１の制御の下、不図示のアンテナやケーブル等を介して放送信号を取得し、チャンネル番号に対応するチャンネルを選局し、復調・誤り訂正等を行って、映像音声信号を映像音声処理部１０３に出力する。
【００２０】
映像音声処理部１０３は、チューナー部１０２から映像音声信号を取得すると、映像音声信号を映像信号と音声信号とに分離する。そして、映像音声処理部１０３は、音声信号に音質調整や音量調整等を行い、スピーカ等である音声出力部１０４から音声を出力させる。また、映像音声処理部１０３は、映像信号に所定の画像処理やスケーリング等を行い、表示制御部部１０５を介して表示部１０６に映像を表示させる。
【００２１】
ところで、リモコン２０では、リモコン操作部２０１が操作されると、リモコン操作部２０１によるリモコン信号の指令内容に関わらず、所定時間毎に撮影信号をリモコン信号として送信することが行われている。そのため、リモコン信号処理部１０９は、リモコン受信部１０８を介して、リモコン操作部２０１のキー操作に対応するリモコン信号を取得すると、撮影信号であるリモコン信号を、間隔を介して複数回取得することになる。
【００２２】
リモコン信号処理部１０９は、撮影信号であるリモコン信号が有効であると判定すると、ＣＰＵ１０１を介して、カメラ制御部１１０によりカメラ１１１に撮影を行わせる。
【００２３】
カメラ制御部１１０は、カメラ１１１を制御して視聴空間の撮影を行わせる。カメラ制御部１１０は、カメラ１１１により視聴空間を撮影させると、カメラ１１１による撮影画像を取得して撮影画像記憶部１１３に記憶させる。このとき、撮影画像は、撮影時間や、リモコン信号処理部１０９が撮影信号を取得した直前のリモコン操作部２０１によるリモコン信号情報と関連付けられて記憶されてもよい。また、撮影画像は、撮影中に表示部１０６に表示されていたコンテンツ情報と関連付けられて記憶されてもよい。例えば、カメラ制御部１１０は、カメラ１１１に撮影を行わせると同時に、表示制御部１０５に表示部１０６の画面をキャプチャーさせ、カメラ１１１による撮影画像と表示制御部１０５によりキャプチャーされた画像とを関連付けて記憶させてもよい。撮影信号であるリモコン信号は、リモコン操作部２０１から出力される１つのリモコン信号に対して、所定間隔を介して所定回数分送信される。つまり、カメラ制御部１１０は、利用者によってテレビ本体１０に対する任意のリモコン操作が行われると、カメラ１１１にインターバル撮影を行わせている。
【００２４】
撮影画像記憶部１１３は、カメラ１１１で撮影された撮影画像を記憶する。撮影画像記憶部１１３に記憶された撮影画像は、リモコン操作部２０１によるリモコン信号に続いて送信される撮影信号により、カメラ１１１で新たに一連の撮影が行われる度に、その一連の撮影画像で更新されてもよい。リモコン２０が最後に操作された後の利用者の行動が記録されていればよいからである。これにより、最後のリモコン操作に対応する一連の撮影画像のみが記憶され、本体操作部１０７が操作されることにより、記憶された撮影画像が表示制御部１０５を介して表示部１０６に表示される。
【００２５】
本体操作部１０７は、記憶された撮影画像を表示させる操作信号を出力するために設けられた専用操作部である。本体操作部１０７は、例えば、利用者がリモコン２０の置き場所を忘れた場合等に利用者によって操作される。本体操作部１０７は、利用者によって操作されると、操作信号を撮影画像再生処理部１１２に出力する。
【００２６】
撮影画像再生処理部１１２は、操作信号を取得すると、撮影画像記憶部１１３に記憶された撮影画像を読み出して、表示制御部１０５を介して表示部１０６に表示させる。図２は、インターバル撮影された撮影画像が表示制御部１０５を介して表示部１０６に表示された様子を示すイメージ図である。図２では、利用者のリモコン操作後の様子が（ａ）〜（ｄ）の順に時系列に示されており、図２（ａ）では、利用者がリモコン２０を操作した直後が撮影されており、図２（ｂ）では、利用者がリモコン２０を持って立ち上がる様子が撮影されており、図２（ｃ）では、利用者がリモコン２０を持って隣の部屋に続くドアを開けようとしている様子が撮影されており、図２（ｄ）では、隣の部屋のドアが開け放たれ、利用者が居なくなった様子が撮影されている。なお、各撮影画像の撮影時間や、リモコン操作部２０１によるリモコン信号に関する情報（例えば、リモコン信号によりどのような操作が行われたか等）、コンテンツ情報等を撮影画像とともに表示してもよい。
【００２７】
これにより、利用者は、表示部１０６に表示された一連の撮影画像に基づいて、最後にリモコン２０を操作した後にどのような行動を取ったかを確認することができ、リモコン２０を置いた場所に関するヒント（手掛かり）を得ることができる。例えば、図２に示す場合では、利用者は、リモコン２０を操作した後に、台所等の隣の部屋に移動してリモコン２０を置き忘れた可能性があることが分かるので、無闇にテレビが設置された部屋を探さずに、台所にリモコン２０を探しに行くことができる。
【００２８】
具体的に、リモコン２０が操作されたときのテレビの処理の流れと、本体操作部１０７が操作されたときのテレビの処理の流れとを説明する。
【００２９】
まず、図３を参照して、リモコン操作部２０１が操作されたときのリモコン２０の処理の流れを説明する。
【００３０】
ステップＡ１０で、リモコン操作部２０１は、利用者によってキーが操作されたか判定する。ステップＡ１０でＮｏの場合、リモコン操作部２０１は、ステップＡ１０に処理を戻す。一方、リモコン操作部２０１は、キーが操作されたと判定すると（ステップＡ１０でＹｅｓ）、ステップＡ１１に進み、操作されたキーに対応するリモコン信号を出力し、リモコン送信部２０４を介して送信する。
【００３１】
次に、ステップＡ１２で、タイマー部２０２は、リモコン操作部２０１からリモコン信号を出力した旨の信号を取得して、タイマーを作動させる。ステップＡ１３で、リモコン操作部２０１は、利用者によってキーが操作されたか判定し、ステップＡ１３でＹｅｓの場合、ステップＡ１１に処理を戻し、ステップＡ１３でＮｏの場合、ステップＡ１４に処理を進める。
【００３２】
ステップＡ１４で、タイマー部２０２は、タイマーが所定時間経過したか否かを判定する。ステップＡ１４でＮｏの場合、タイマー部２０２はステップＡ１３に処理を戻す。一方、ステップＡ１４でＹｅｓの場合、ステップＡ１５に進み、撮影信号生成部２０３は、タイマー部２０２より所定時間経過した旨を示すタイマー信号を取得して、撮影信号を生成し、リモコン送信部２０４を介して送信する。ステップＡ１６で、撮影信号生成部２０３は、撮影信号の送信回数を示すカウンタをインクリメントする。ステップＡ１７で、撮影信号生成部２０３は、カウンタの値が所定値に達したか否かを判定する。ステップＡ１７でＮｏの場合、ステップＡ１２に戻り、リモコン操作部２０１によるリモコン信号に対応する撮影信号が所定回数送信されるまで、ステップＡ１２からステップＡ１７の処理が繰り返される。一方、ステップＡ１７でＹｅｓの場合、すなわち、撮影信号生成部２０３が、カウンタの値が所定値に達したと判定すると、本処理が終了する。なお、上記の処理において、タイマー及びカウンタは予め初期化されているものとする。また、ステップＡ１７における所定回数は予め工場出荷時の設定値やユーザにより設定された設定値に設定されているものとする。
【００３３】
次に、図４を参照して、リモコン信号を受信したテレビ本体１０の処理の流れを説明する。
【００３４】
ステップＡ２０で、リモコン信号処理部１０９は、リモコン受信部１０８でリモコン信号を受信したかチェックする。ステップＡ２０でＮｏの場合、リモコン信号処理部１０９は、ステップＡ２０に処理を戻す。一方、ステップＡ２０でＹｅｓの場合、ステップＡ２１に進み、リモコン信号処理部１０９は、受信したリモコン信号が有効なリモコン信号であるか否かを判定する。例えば、リモコン信号処理部１０９は、予め記憶されたリモコンコードとリモコン信号とが一致すれば有効なリモコン信号であると判定すればよい。ステップＡ２１でＮｏの場合、リモコン信号処理部１０９は、本処理を終了する。一方、ステップＡ２１でＹｅｓの場合、ステップＡ２２で、リモコン信号処理部１０９は、リモコン信号が特別なリモコン信号、すなわち撮影信号であるか判定する。
【００３５】
ステップＡ２２でＮｏの場合、リモコン信号処理部１０９は、ステップＡ２３に進み、リモコン信号に応じた処理を各部に行わせて、本処理を終了する。一方、ステップＡ２４でＹｅｓの場合、すなわち、リモコン信号処理部１０９は、特別なリモコン信号であると判定すると、ステップＡ２４に進む。ステップＡ２４で、カメラ制御部１１０は、カメラ１１１に撮影を行わせ、撮影画像を撮影画像記憶部１１３に記憶させて、本処理を終了する。
【００３６】
以上の通り、リモコン２０は、利用者によってリモコン２０が操作される度に、操作されたキーに対応するリモコン信号を送信するとともに、リモコン２０が操作されてから所定時間経過すると、カメラ制御部１１０を介してカメラ１１１に撮影を行わせる特別なリモコン信号を間隔を介して所定回数分送信する。テレビ本体１０は、受信したリモコン信号に従って、リモコン２０で操作されたキーに対応する処理を行うとともに、リモコン操作後の利用者の様子を間隔を介して所定回数撮影して記録している。これにより、利用者がリモコン２０を操作してから所定時間経過すると所定間隔で撮影が行われ、利用者がリモコン２０を頻繁に操作している間の無駄な撮影を行わずに済ませることができる。
【００３７】
次に、図５を参照して、本体操作部１０７が操作されたときのテレビ本体１０の処理の流れを説明する。
【００３８】
ステップＢ１０で、撮影画像再生処理部１１２は、本体操作部１０７が利用者によって操作されたか否かを判定する。ステップＢ１０でＮｏの場合、ステップＢ１０に処理を戻す。一方、ステップＢ１０でＹｅｓの場合、ステップＢ１１に進み、撮影画像再生処理部１１２は、撮影画像記憶部１１３に記憶された撮影画像を取得する。ステップＢ１２で、撮影画像再生処理部１１２は、取得した撮影画像を表示制御部１０５により表示部１０６に表示させ、本処理を終了する。
【００３９】
これにより、利用者は、リモコン２０がどこにあるのか分からなくなった場合、本体操作部１０７を操作することにより、表示部１０６に表示された利用者のリモコン操作後の映像により、リモコン２０を置いた場所に関するヒントを得ることができる。
【００４０】
なお、上記実施形態では、タイマー部２０２と撮影信号生成部２０３とが、リモコン２０に設けられた構成を説明したが、テレビ本体１０に設けられてもよい。図６に示すテレビでは、図１に示すリモコン２０に設けられていたタイマー部２０２と撮影信号生成部２０３とが、図６に示すリモコン２１ではなくテレビ本体１１に、タイマー部１２２、撮影信号生成部１２３として設けられている。なお、図６において、図１と同様の構成には同一の符号を付し、その説明を省略する。
【００４１】
リモコン操作部２０１は、利用者によって不図示のキーが操作されると、操作されたキーに対応するリモコン信号をリモコン送信部２０４を介して送信する。
【００４２】
リモコン受信部１０８は、リモコン信号を受信するとリモコン信号処理部１０９に出力する。リモコン信号処理部１０９は、リモコン受信部１０８からリモコン信号を取得すると、有効なリモコン信号であるか判定する。リモコン信号処理部１０９は、有効なリモコン信号であると判定すると、ＣＰＵ１０１を介してリモコン信号に対応する処理を各部に行わせる。また、それとともに、リモコン信号処理部１０９は、タイマー部１２２によりタイマーを作動させる。
【００４３】
タイマー部１２２は、タイマーにより所定時間経過したと判定すると、撮影信号生成部１２３に撮影信号（特別なリモコン信号）を生成させる。撮影信号生成部１２３は、所定回数に達するまで、タイマー部１２２により所定時間経過したと判定される毎に撮影信号を生成し、カメラ制御部１１０に出力する。カメラ制御部１１０は、撮影信号を取得する毎にカメラ１１１に視聴空間の撮影を行わせて、撮影画像を撮影画像記憶部１１３に記憶させる。
【００４４】
以上の通り、テレビ本体１０は、リモコン２０からリモコン操作部２０１によるリモコン信号を取得すると、所定回数に達するまで所定時間毎に撮影信号生成部１２３により撮影信号を生成させ、撮影信号によりカメラ制御部１１０を介してカメラ１１１に視聴空間を撮影させて、撮影画像を撮影画像記憶部１１３に記憶させる。これにより、利用者は、リモコン２０がどこにあるのか分からなくなった場合、本体操作部１０７を操作することにより、表示部１０６に表示されたリモコン操作後の映像により、リモコン２０を置いた場所に関するヒントを得ることができる。
【００４５】
また、上記の実施形態では、本体操作部１０７が操作されたときに、記憶された撮影画像を表示させる操作信号が撮影画像再生処理部１１２に出力されるものとしたが、他の所定操作が行われたときに、操作信号が撮影画像再生処理部１１２に出力されてもよい。
【００４６】
例えば、専用に設けられた本体操作部１０７ではなく、リモコン２０と同等の機能を実現するためにテレビ本体１０に設けられた操作部について、所定の操作部が複数同時に操作されたときに、撮影画像再生処理部１１２に操作信号が出力されてもよい。また、テレビ本体１０に設けられた電源ボタンが操作された場合、すなわち、リモコン信号によらず電源がＯＮされた場合に、撮影画像再生処理部１１２に操作信号が出力されてもよい。また、利用者がカメラ１１１に近接して手を振る操作を行ったとき、すなわち、カメラ制御部１１０がカメラ１１１における映像明るさが短時間に急変化したことを検出した場合に、撮影画像再生処理部１１２に操作信号が出力されてもよい。また、例えば、利用者がカメラ１１１を手で隠した状態でテレビ本体１０に設けられた電源ボタンを操作した場合、すなわち、カメラ制御部１１０がカメラ１１１により検出した映像明るさが暗い状態であり、かつ、テレビ本体１０の電源ボタンが操作されたときに、撮影画像再生処理部１１２に操作信号が出力されてもよい。
【００４７】
また、操作信号は、テレビ本体１０がネットワーク機能を有している場合、ネットワーク経由でテレビ本体１０に送信されてもよい。また、携帯電話が、撮影画像再生処理部１１２に撮影画像の再生を行わせるための専用のリモコン信号をテレビ本体１０に送信してもよい。この専用のリモコン信号は、例えば携帯電話用のアプリケーションとしてダウンロード可能に配布されればよい。
【００４８】
また、上記実施形態において、カメラ制御部１１０は、カメラ１１１に静止画で撮影させてもよいし、動画で撮影させてもよい。カメラ制御部１１０は、カメラ１１１に動画で撮影させる場合、例えば、撮影信号を取得する毎に、所定時間ずつ動画で撮影を行わせればよい。また、カメラ制御部１１０は、静止画と動画とを混合させてカメラ１１１に撮影を行わせてもよい。例えば、カメラ制御部１１０は、リモコン２０が手放される可能性が高い、リモコン２０が操作された直後の所定時間についてカメラ１１１に動画で撮影を行わせ、その後所定回数に達するまで所定時間毎に静止画で撮影を行わせてもよい。この場合、動画による撮影が開始されてから終了されるまでを１回とカウントして所定回数に含めてもよいし、動画による撮影を所定回数に含めなくてもよい。また、撮影信号は、複数回出力されずに、一度だけ出力されてもよい。
【００４９】
また、撮影画像再生処理部１１２は、撮影画像記憶部１１３から読み出した撮影画像に対して、画像認識処理を行い、予め記憶されたリモコン画像と同じリモコン画像が撮影画像内にあった場合、そのリモコン画像部分が目立つように加工した撮影画像を、表示制御部１０５を介して表示部１０６に表示させてもよい。
【００５０】
また、リモコン２０がテレビ本体１０だけでなく、他の電子機器も遠隔操作可能である場合、カメラ制御部１１０は、リモコン２０によるリモコン信号がテレビ本体１０とは異なる操作対象機器に対するものであったときに、カメラ１１１に撮影を行わせ、その操作対象機器に関する情報と撮影画像とを関連付けて記憶させてもよい。具体的には、リモコン信号処理部１０９は、テレビ本体１０に対応するリモコンコードだけでなく、他の操作対象機器に対応するリモコンコードを記憶してもよい。リモコン信号処理部１０９は、リモコン受信部１０８を介して取得したリモコン信号がどの操作対象機器に対するものであるかを判定する。リモコン信号処理部１０９によって、テレビ本体１０とは異なる操作対象機器に対するリモコン信号であると判定されると、カメラ制御部１１０は、タイマー部１２２による所定時間毎に、撮影信号生成部１２３による撮影信号によってカメラ１１１に撮影を行わせ、撮影画像をリモコン信号に対応する操作対象機器に関する情報に関連付けて記憶させる。表示制御部１０５は、例えば本体操作部１０７が操作されたときに、撮影画像とともにリモコン信号に対応する操作対象機器に関する情報を表示させる。これによれば、リモコン２０によってテレビ本体１０とは異なる操作対象機器が操作された場合にも、リモコン２０が操作された後の視聴空間の様子を記録させることができる。
【００５１】
なお、カメラ制御部１１０は、複数のリモコン２０のそれぞれの操作後の視聴空間の様子を記録させてもよい。例えば、テレビ本体１０のリモコン２０と、ＡＶ機器のリモコンであってリモコン２０とは異なるリモコンとがあったときに、カメラ制御部１１０は、テレビ本体１０のリモコン２０が操作されると、その操作後の視聴空間の様子をテレビ本体１０のリモコン２０と関連付けて記録し、ＡＶ機器のリモコンが操作されると、その操作後の視聴空間の様子をＡＶ機器のリモコンと関連付けて記録する。このとき、撮影画像記憶部１１３は、複数のリモコンについてそれぞれ設けられてもよいし、記憶領域が複数のリモコンのそれぞれに対応して分割されて設けられてもよい。これによれば、テレビ本体１０のリモコン２０を操作してＡＶ機器に切り換えた後に、ＡＶ機器のリモコンを用いて再生操作した場合であっても、テレビ本体１０のリモコン２０とＡＶ機器のリモコンとのそれぞれについて、記録された操作後の視聴空間の様子を再生でき、それをヒントに探すことができる。
【００５２】
また、リモコン２０に加速度センサを設けてもよい。リモコン２０は、例えば利用者によってリモコン２０が動かされたことを加速度センサにより検出したときに、タイマー部２０２による所定時間毎に、撮影信号生成部２０３により撮影信号を生成させ、リモコン送信部２０４を介して撮影信号を送信させてもよい。この場合、利用者が、リモコン操作部２０１を操作した場合に限らず、リモコン２０に触ったときに撮影信号が送信され、カメラ１１１により撮影が行われるので、最後にリモコン２０が動かされたときの様子を撮影することができる。リモコン操作部２０１によりキーが操作されたことと、加速度センサによりリモコン２０が動かされたこととが、共に検出された場合、いずれか一方により撮影信号が生成されればよい。
【００５３】
なお、リモコン２０は、利用者によってリモコン２０が動かされたことを加速度センサにより検出したときに、リモコン２０が動かされたことを示すリモコン信号をテレビ本体１０に送信してもよい。この場合、テレビ本体１０は、リモコン２０が動かされたことを示すリモコン信号を取得すると、タイマー部１２２による所定時間毎に、撮影信号生成部１２３により撮影信号を生成させ、カメラ制御部１１０によりカメラ１１１に撮影を行わせてもよい。なお、ここでは、利用者がリモコン２０に触れることも含めて、リモコン２０を操作する意味に含まれるものとする。
【００５４】
本発明は上述した実施の形態に限定されるものではなく、本発明の趣旨を逸脱しない範囲で種々様々に変更が可能であることは言うまでもない。なお、上記実施形態において、同様の機能を示す構成には、同一の符号を付してある。
【符号の説明】
【００５５】
１０，１１：テレビ本体
２０，２１：リモコン
１０１：ＣＰＵ
１０２：チューナー部
１０３：映像音声処理部
１０４：音声出力部
１０５：表示制御部
１０６：表示部
１０７：本体操作部
１０８：リモコン受信部
１０９：リモコン信号処理部
１１０：カメラ制御部
１１１：カメラ
１１２：撮影画像再生処理部
１１３：撮影画像記憶部
１２２，２０２：タイマー部
１２３，２０３：撮影信号生成部
２０１：リモコン操作部
２０４：リモコン送信部
【図１】
2013138355.tif 000003
【図２】
2013138355.tif 000004
【図３】
2013138355.tif 000005
【図４】
2013138355.tif 000006
【図５】
2013138355.tif 000007
【図６】
2013138355.tif 000008